(57)【要約】      （修正有）【課題】かしめリングが同軸ケーブルに沿って移動すること、およびかしめリングの入れ忘れを防止でき、しかも接着剤を用いないようにした高周波信号用コネクタの接栓を提供する。【解決手段】同軸ケーブルの端部に装着される高周波信号用コネクタの接栓。中心位置にある円筒状空洞の外周の一端が前記同軸ケーブルを差し込むためのガイド１１３付きの筒状部１１１であり、前記円筒状空洞部の外周の他端が同軸接線座との連結部であるケーブル保持部材１１０と、外周面にかしめ用突起を有し、前記ケーブル受け部の端面に固定されるかしめリング２００と、前記ケーブル保持部材の前記外周他端に回転自由に連結され、前記同軸接線座に固定するナット１２０とを備える。【選択図】図１
0003156489.tif 000002
【実用新案登録請求の範囲】
【請求項１】
同軸ケーブルの端部に装着され、前記同軸ケーブルの端部を要素として利用し同軸接栓を構成する高周波信号用コネクタの接栓において、
中心位置に前記同軸ケーブルを支持する円筒状空洞を有し、この円筒状空洞部の外周の一端が前記同軸ケーブルの絶縁層と編組との間に差し込まれるガイド付きの筒状部であり、前記円筒状空洞部の外周の他端が同軸接線座に固定するための部材との連結部であって、前記筒状部の前記連結部寄りの位置に前記同軸ケーブルの端部と当接するケーブル受け部を有し、前記ケーブル受け部の端面に、前記かしめリングを圧入させるためのリブが形成されているケーブル保持部材と、
外周面にかしめ用突起を有する前記ケーブル受け部の外周とほぼ同径のリング状をなし、前記ケーブル受け部の端面に介在物なしで直接固定されるかしめリングと、
前記ケーブル保持部材の前記外周他端に回転自由に連結され、前記同軸接線座に固定するための部材としてのナットと
をそなえたことを特徴とする高周波信号用コネクタの接栓。
【請求項２】
請求項１記載の高周波信号用コネクタの接栓において、
前記リブは、前記かしめリングの内周または外周に嵌合するように形成されたことを特徴とする高周波信号用コネクタの接栓。
【請求項３】
請求項１記載の高周波信号用コネクタの接栓において、
前記リブと前記かしめリングとは溶接または溶着により固定されたことを特徴とする高周波信号用コネクタの接栓。
【考案の詳細な説明】
【技術分野】
【０００１】
本考案は、高周波信号用コネクタの接栓に係わり、とくにケーブルに固定するためのかしめリングが遊動しないように固定しておく構造に関する。
【背景技術】
【０００２】
従来、この種の同軸接栓を同軸ケーブルに固定するには、図５に示すように、円筒状をなし、一端に締付け用ナット１２０が設けられた接栓部材１１０を装着して、先に同軸ケーブルに通しておいたかしめリング２００をかしめている。
【０００３】
ここで、かしめリング２００は、接栓部材１１０と別部材であり、しかも同軸ケーブルに先に通しておき、後に接栓部材の外周からかしめるため、かしめる時点ではかしめリング２００が同軸ケーブルに沿って移動していることがある。
【０００４】
そして、同軸接栓を取り付ける場所が高所であると、かしめリングはかなり下方まで滑り落ちていることがあり、所定位置まで戻すにはかなりの手間と時間がかかる。また、ときには、かしめリングを入れ忘れることがある。
【０００５】
このような事情から、かしめリング２００を接栓部材１１０のケーブル受け部１１２の端面に接着剤１３０等を用いて一時的に固定しておくことが行われている。
【先行技術文献】
【特許文献】
【０００６】
【特許文献１】登録実用新案第3130742号公報
【考案の概要】
【考案が解決しようとする課題】
【０００７】
しかしながら、接着剤は流動性であるため、接栓部材とかしめリングとの隙間から食み出して他の部材に付着したり外観を損ねたりする不具合がある。
【０００８】
本考案は上述の点を考慮してなされたもので、かしめリングが同軸ケーブルに沿って移動すること、およびかしめリングの入れ忘れを防止でき、しかも接着剤を用いないようにした高周波信号用コネクタの接栓を提供することを目的とする。
【課題を解決するための手段】
【０００９】
上記目的達成のため、本考案では、
同軸ケーブルの端部に装着され、前記同軸ケーブルの端部を要素として利用し同軸接栓を構成する高周波信号用コネクタの接栓において、
中心位置に前記同軸ケーブルを支持する円筒状空洞を有し、この円筒状空洞部の外周の一端が前記同軸ケーブルの絶縁層と編組との間に差し込まれるガイド付きの筒状部であり、前記円筒状空洞部の外周の他端が同軸接線座に固定するための部材との連結部であって、前記筒状部の前記連結部寄りの位置に前記同軸ケーブルの端部と当接するケーブル受け部を有し、前記ケーブル受け部の端面に、前記かしめリングを圧入させるためのリブが形成されているケーブル保持部材と、
外周面にかしめ用突起を有する前記ケーブル受け部の外周とほぼ同径のリング状をなし、前記ケーブル受け部の端面に介在物なしで直接固定されるかしめリングと、
前記ケーブル保持部材の前記外周他端に回転自由に連結され、前記同軸接線座に固定するための部材としてのナットと
をそなえたことを特徴とする高周波信号用コネクタの接栓、
を提供するものである。
【考案の効果】
【００１０】
本考案は上述のように、ケーブル保持部材のケーブル受け部に設けたリブとかしめリングとを介在物なしで直接固定しているため、同軸接栓を同軸ケーブルに取り付ける作業中、かしめリングは常にケーブル保持部材に固定されており、同軸ケーブルに沿って移動することがない。したがって、かしめ作業を行ってケーブルに固定するまでかしめリングはケーブル保持部材と一体であってケーブルに沿って移動することもなく、同軸接栓を同軸ケーブルに取り付ける作業に支障を来たさずに作業性を大幅に向上することができる。
【図面の簡単な説明】
【００１１】
【図１】本考案の一実施例の構成を示す縦断面図。
【図２】本考案の一実施例の構成を示す側面図。
【図３】図２に示した実施例の構成を示す斜視図。
【図４】図１ないし図３に示した実施例に同軸ケーブルを挿入する状態を示す説明図。
【図５】従来の高周波コネクタとかしめリングとの関係を示す縦断面図。
【考案を実施するための形態】
【００１２】
以下、添付図面を参照して本考案の実施の形態を説明する。
【実施例１】
【００１３】
図１は、本考案の一実施例の同軸ケーブルへの取付前の状態を示す縦断面図である。この図１に示すように、芯線を突出させ絶縁層と編組との間にガイド部１１３が入り込んだ同軸ケーブル（図示せず）を保持するケーブル保持部材（シェル）１１１の図示左端には、同軸接栓１００の取付ナット１２０が装着され、またほぼ中央部にはかしめリング２００が圧入により固定されている。
【００１４】
この場合、かしめリング２００は、ケーブル保持部材１１１のケーブル受け部１１２におけるケーブル当て部１１２ａから図示右方向に突出したリブ１１２ｂの端部外周上に固定されている。
【００１５】
固定方法は圧入であり、リブ１１２ｂの外周にかしめリング２００の内周がほぼ全周にわたって緊密に当接している。圧入効果を高める上からは、リブ１１２ｂはできるだけかしめリング２００の内周全体に当接することが望ましいが、軽度の仮留め効果でよければかしめリング２００の内周に対して部分的に当接するような構成にしてもよい。
【００１６】
図２は、図１に示した同軸接栓１００に同軸ケーブル３００を差し込む際の状態を示した斜視図である。
【００１７】
同軸ケーブル３００は、芯線３０１が所定長突出してそのまま同軸接栓の中心導体として利用される状態とされ、芯線３０１の周囲にある絶縁層３０２が若干露出し、その外層にある編組３０３がケーブル保持部材１１１に当接するように外被３０４の端面に露出している。
【００１８】
この同軸ケーブル３００をケーブル保持部材１１１に差し込んでいくと、ケーブル保持部材１１１の図示右端のテーパ状のガイド部１１３が同軸ケーブル３００の絶縁層３０２と編組３０３との間に差し込まれていき、編組３０３がケーブル保持部材１１１のケーブル受け部１１２であるフランジ状部分１１２ａに当接する。
【００１９】
この状態で、かしめリング２００を外被３０４の外周上からかしめると、フランジ状部分１１２ａから突出したリブ１１２ｂに圧入固定されていたかしめリング２００が変形してケーブル保持部材１１１から外れるとともに、外被３０４、編組３０３をケーブル保持部材１１１の外周に対して圧迫固定する。これにより、同軸ケーブル３００と同軸接栓１００との固定が行われる。
【００２０】
したがって、かしめリング２００は、同軸ケーブル３００を同軸接栓１００に固定するまで同軸接栓１００に固定されており、同軸ケーブル３００に沿って移動してしまうことはない。
【００２１】
図３および図４は、図１および図２に示した同軸接栓１００およびかしめリング２００の固定構造を説明するための側面図および斜視図である。
【００２２】
これら両図において、同軸接栓１００の長さ方向中央部にあるリブ１１２ｂが、かしめリング２００を圧入固定する部材である。すなわち、図１を参照すると、かしめリング２００の図示左端内周にリブ１１２ｂが圧入されて固定している。
【００２３】
図示の場合、リブ１１２ｂの外周の径がかしめリング２００の内周の径と同寸に形成されているが、リブ１１２ｂを径方向外側に向けて拡開するように加工すれば、リブ１１２ｂとかしめリング２２０とはより強固に組み合わされて固定される。
【他の実施例】
【００２４】
上記実施例では、リブ１１２ｂの外周にかしめリング２００が配される構造としているが、反対にかしめリング２００の外周径とリブ１１２ｂの内周径とを同一にしてリブ１１２ｂの内周にかしめリング２００を圧入させてもよい。
【００２５】
また、リブ１１２ｂとかしめリング２００とは、圧入だけでなく溶着、溶接により固定することもできる。
【符号の説明】
【００２６】
１００  同軸接栓、１１０  ケーブル、１１１  ケーブル保持部材、
１１２  ケーブル受け部、１１２ａ  ケーブル当て部、１１２ｂ  リブ、
１１３  差込部、１２０  取付ナット、１３０  接着剤、
２００  かしめリング、３００  同軸ケーブル。  
【図１】
0003156489.tif 000003
【図２】
0003156489.tif 000004
【図３】
0003156489.tif 000005
【図４】
0003156489.tif 000006
【図５】
0003156489.tif 000007